(57)【要約】　　　（修正有）【課題】望ましくないエミッションを低減することができると共に暖房バーナ内の燃焼特質を改善することができるようにする。【解決手段】暖房バーナの領域における温度に関連して調節可能な少なくとも１つの弁機構４０が設けられているようにした。第一の温度範囲内の温度では入り口２０と二つの出口２４、３２との間の接続を遮断しており、第一の温度より高い第二の温度範囲内の温度では入り口２０と二つの出口２４、３２との間の接続を遮断しておらず、第二の温度より高い第三の温度範囲内の温度では入り口２０と一方の出口２４との間の接続を遮断しておらず、入り口２０と他方の出口３２との間の接続を遮断している。この機構は温度フィーラー装置３６の室７２内の媒体の体積変化が実現する。【選択図】　　　図２
2004003811.tif 000002
【特許請求の範囲】
【請求項１】
特に車両暖房システムの、燃料運転される暖房バーナに用いられる温度制御式の燃料弁において、暖房バーナ（３０）の領域における温度に関連して調節可能な少なくとも１つの弁機構（４０）が設けられていることを特徴とする、温度制御式の燃料弁。
【請求項２】
当該燃料弁が、１つの導入領域（２０）と２つの導出領域（２４，３２）とを有しており、第１の温度範囲内にある温度において、弁機構（４０）が、導入領域（２０）と両導出領域（２４，３２）との間の接続を遮断しており、第１の温度範囲よりも高い第２の温度範囲内にある温度において、弁機構（４０）が、導入領域（２０）と両導出領域（２４，３２）との間の接続を遮断しておらず、第２の温度範囲よりも高い第３の温度範囲内にある温度において、弁機構（４０）が、導入領域（２０）と一方の導出領域（２４）との間の接続を遮断しておらず、導入領域（２０）と他方の導出領域（３２）との間の接続を遮断している、請求項１記載の燃料弁。
【請求項３】
弁体（３８）に、導入領域（２０）に接続可能な第１の流路領域（５４）が設けられており、該第１の流路領域（５４）が、第１の導出領域（２４）と第２の流路領域（５８）とに通じており、該第２の流路領域（５８）が、第２の導出領域（３２）に通じるようになっている、請求項１または２記載の燃料弁。
【請求項４】
弁機構（４０）が、第１の温度範囲内にある温度において、第１の流路領域（５４）を閉鎖していて、第３の温度範囲内にある温度において、第２の流路領域（５８）を閉鎖していて、第２の温度範囲内にある温度において、第１の流路領域（５４）と第２の流路領域（５８）とを閉鎖していない、請求項２または３記載の燃料弁。
【請求項５】
弁機構（４０）が、第１の弁機構面（６４）と、該第１の弁機構面（６４）とは逆方向に向けられた第２の弁機構面（６８）とを有しており、弁体（３８）に第１の弁機構面（６４）および第２の弁機構面（６８）に対して第１の弁座面（６２）もしくは第２の弁座面（６６）が設けられており、第１の流路領域（５４）が、第１の弁座面（６２）に開口しており、第２の流路領域（５８）が、第２の弁座面（６６）に開口している、請求項３または４記載の燃料弁。
【請求項６】
第１の弁機構面（６４）が、第１の弁座面（６２）に載置している場合に第２の弁機構面（６８）が、第２の弁座面（６６）に載置していない、請求項５記載の燃料弁。
【請求項７】
温度フィーラ装置（３６）が設けられており、該温度フィーラ装置（３６）が、温度に依存する体積を備えた温度フィーラ媒体と、該温度フィーラ媒体の体積変化によって変位可能なかつ弁機構（４０）を負荷する伝達装置（８２）とを備えている、請求項１から６までのいずれか１項記載の燃料弁。
【請求項８】
伝達装置（８２）が、温度フィーラ媒体の体積変化によって変形可能な閉鎖エレメント（７４）と、閉鎖エレメント変形によって変位可能なプランジャ（８０）とを有している、請求項７記載の燃料弁。
【請求項９】
特に車両に用いられる暖房システムにおいて、燃焼器（２８）を備えた暖房バーナ（３０）と、燃料を燃焼器（２８）に圧送するためのポンプ装置（１６）と、該ポンプ装置（１６）と燃焼器（２８）との間の流路に設けられた、請求項１から８までのいずれか１項記載の温度制御式の燃料弁（２２）とが設けられていることを特徴とする、暖房システム。
【請求項１０】
燃料弁（２２）の温度フィーラ装置（３６）が、暖房バーナ（３０）の点火機構（３１）の領域または排ガス流の領域における温度を検出するために形成されている、請求項９記載の暖房システム。
【請求項１１】
燃料弁（２２）の第１の導出領域（２４）を介して燃料が、点火機構（３１）の領域で燃焼器（２８）内に導入可能であり、燃料弁（２２）の第２の導出領域（３２）を介して燃料が、点火機構（３１）から十分に離されて位置する領域で燃焼器（２８）内に導入可能である、請求項９または請求項１０記載の暖房システム。
【請求項１２】
第２の導出領域（３２）が、第１の導出領域（２４）よりも僅かな流れ抵抗を提供している、請求項１１記載の暖房システム。
【発明の詳細な説明】
【０００１】
【発明の属する技術分野】
本発明は、特に車両暖房システムの、燃料運転される暖房バーナに用いられる温度制御式の燃料弁に関する。
【０００２】
【従来の技術】
たとえば車両停止時の暖房装置または補助ヒータとして運転することができる、車両に使用される暖房装置では、一般的に燃料が燃料タンクから吸込み管路を介して調量ポンプ内に収容され、その後、この調量ポンプから圧力下で圧力管路を介して暖房バーナの燃焼器内に導入される。運転段階の初期に燃焼器内に、たとえば蒸発または噴霧によって導入された燃料を、同じく導入された燃焼空気と一緒に点火するためには、たとえばグロー点火ピンの形で形成された点火機構が設けられている。
【０００３】
このような形式のシステムの運転中には、停止時に調量ポンプと燃焼器との間の管路領域にまず、点火の停止時に少なくともまだ燃焼器の近くの圧力管路の領域で蒸発し、したがって、健康に対して有害となるエミッションを生ぜしめる燃料がまだ存在しているという問題がある。運転の間、燃焼器内への燃料の一般的に非対称的な供給は、燃焼器にわたって不均一に分配された燃焼を生ぜしめ、その結果、燃焼器の全ての領域において最適な空気過剰率範囲内での燃焼が行われない。これによって、堆積物が生ぜしめられ得る。
【０００４】
【発明が解決しようとする課題】
本発明の課題は、望ましくないエミッションを低減することができると共に暖房バーナ内の燃焼特質を改善することができるようにすることである。
【０００５】
【課題を解決するための手段】
この課題を解決するために本発明の構成では、暖房バーナの領域における温度に関連して調節可能な少なくとも１つの弁機構が設けられているようにした。
【０００６】
【発明の効果】
温度制御式の燃料弁を使用することによって、燃焼器内への燃料の導入を温度ひいては燃焼条件に関連して行うことができるようになっている。したがって、既存の情報フィードバックに基づき、燃料を適切な時点でかつ適切な量で暖房装置の適切な領域に案内することができるようになっている。
【０００７】
このためには、たとえば燃料弁が、１つの導入領域と２つの導出領域とを有しており、第１の温度範囲内にある温度において、弁機構が、導入領域と両導出領域との間の接続を遮断しており、第１の温度範囲よりも高い第２の温度範囲内にある温度において、弁機構が、導入領域と両導出領域との間の接続を遮断しておらず、第２の温度範囲よりも高い第３の温度範囲内にある温度において、弁機構が、導入領域と一方の導出領域との間の接続を遮断しておらず、導入領域と他方の導出領域との間の接続を遮断していることが提案されていてよい。
【０００８】
本発明による燃料弁において、種々異なる流路の間の温度制御式の切換を簡単に達成することができるようにするためには、弁体に、導入領域に接続可能な第１の流路領域が設けられており、該第１の流路領域が、第１の導出領域と第２の流路領域とに通じており、該第２の流路領域が、第２の導出領域に通じるようになっていることが提案される。この場合、さらに有利には、弁機構が、第１の温度範囲内にある温度において、第１の流路領域を閉鎖していて、第３の温度範囲内にある温度において、第２の流路領域を閉鎖していて、第２の温度範囲内にある温度において、第１の流路領域と第２の流路領域とを閉鎖していないことが提案されていてよい。
【０００９】
本発明による燃料弁による種々異なる流路の間の規定された切換は、たとえば弁機構が、第１の弁機構面と、該第１の弁機構面とは逆方向に向けられた第２の弁機構面とを有しており、弁体に第１の弁機構面および第２の弁機構面に対して第１の弁座面もしくは第２の弁座面が設けられており、第１の流路領域が、第１の弁座面に開口しており、第２の流路領域が、第２の弁座面に開口していることによって達成することができる。この場合、さらに有利には、第１の弁機構面が、第１の弁座面に載置している場合に第２の弁機構面が、第２の弁座面に載置していないことが提案されていてよい。
【００１０】
さらに、温度を検出し、これに相応して弁機構を制御するためには、本発明による燃料弁が、温度フィーラ装置を有しており、該温度フィーラ装置が、温度に依存する体積を備えた温度フィーラ媒体と、該温度フィーラ媒体の体積変化によって変位可能なかつ弁機構を負荷する伝達装置とを備えている。
【００１１】
弁機構に対する負荷運動への温度フィーラ媒体の体積変化の変換は、たとえば伝達装置が、温度フィーラ媒体の体積変化によって変形可能な閉鎖エレメントと、閉鎖エレメント変形によって変位可能なプランジャとを有していることによって極めて簡単に達成することができる。
【００１２】
さらに、本発明は、燃焼器を備えた暖房バーナと、燃料を燃焼器に圧送するためのポンプ装置と、該ポンプ装置と燃焼器との間の流路に設けられた本発明による温度制御式の燃料弁とを有する、特に車両に用いられる暖房システムに関する。
【００１３】
本発明による燃料弁を調量ポンプと暖房バーナとの間の領域、有利には、可能な限り暖房バーナの近くに組み込むことによって、もはや閉鎖可能でない管路経路が可能な限り短く保たれるようになっている。こうして、燃焼の停止時にもはや燃焼させられない、まだ比較的高い温度に基づき蒸発する傾向にある燃料の量を著しく低減することができる。
【００１４】
さらに、燃料弁の温度フィーラ装置が、暖房バーナの点火機構の領域または排ガス流の領域における温度を検出するために形成されていることが提案されていてよい。
【００１５】
本発明による暖房システムにおいて、温度に関連して燃料が、種々異なる運転状態およびこの場合にその都度付与されている燃焼状態に対して最適な領域に導入されるようにするためには、さらに、燃料弁の第１の導出領域を介して燃料が、点火機構の領域で燃焼器内に導入可能であり、燃料弁の第２の導出領域を介して燃料が、点火機構から十分に離されて位置する領域で燃焼器内に導入可能であることが提案される。
【００１６】
燃焼特質のさらなる向上は、第２の導出領域が、第１の導出領域よりも僅かな流れ抵抗を提供していることによって達成することができる。
【００１７】
【発明の実施の形態】
以下に、本発明の実施の形態を図面につき詳しく説明する。
【００１８】
図１には、本発明による暖房システムが一般的に符号１０で示してある。燃料タンク１２からは燃料管路１４が調量ポンプ１６に通じている。この調量ポンプ１６は慣用の構造によって形成されていてよい。調量ポンプ１６からは後続の燃料管路１８が温度制御式の燃料弁２２の導入領域２０に通じている。高められた圧力下で管路１８を介して燃料弁２２内に導入された燃料は、第１の導出領域２４と後続の燃料管路２６とを介して、グロー点火ピンまたはその他の点火機構３１の近くに位置する領域に設けられた暖房バーナ３０の燃焼器２８内に導入することができる。さらに、第２の導出領域３２と後続の管路３４とを介して、燃料を燃料弁２２から燃焼器２８の、グロー点火ピン３１から十分に離されて位置する領域に導入することができる。ここで念のために付言しておくが、暖房バーナ３０は噴霧式バーナであってもよいし、蒸発式バーナであってもよい。事情に応じて、燃料は噴霧または多孔質の媒体からの蒸発によって燃焼器２８内に送出される。これによって、そこには、同じく燃焼器２８内に導入された燃焼空気と共に、点火可能な混合物が形成される。
【００１９】
さらに、図１には、一般的に符号３６で示した、燃料弁２２の温度フィーラ装置を見ることができる。この温度フィーラ装置３６は、図示の例では、燃焼器２８内の温度をグロー点火ピン３１の領域で検出する。温度に応じて、燃料弁２２を介して燃料が、両導出領域２４，３２を介してまたは単に一方の導出領域２４；３２を介してまたは導出領域２４，３２を介さずに送出される。以下に、このことを図２〜図５につき詳しく説明する。
【００２０】
まず、図２には、燃料弁２２の内部の構造を見ることができる。この燃料弁２２は弁体３８を有している。この弁体３８内には、弁スプール４０が弁スプール長手方向軸線Ｌの方向で移動可能に収容されている。導入領域２０の入口開口４２は第１の弁室４４に通じている。長手方向軸線Ｌの方向で見て第１の弁室４４に続く第２の弁室４６には第１の導出領域２４の出口開口４８が開口している。長手方向軸線Ｌの方向で見て第１の弁室４４と第２の弁室４６とに続く第３の弁室５０には第２の導出領域３２の出口開口５２が開口している。第１の流路領域５４は孔状の多数の通路５６を有している。これらの通路５６は主として長手方向軸線Ｌの方向で延びていて、第１の弁室４４と第２の弁室４６との間の接続部を形成している。図３に見ることができるように、通路５６は環状に弁スプール４０を取り囲むように配置されている。第２の流路領域５８は多数の通路６０を有している。これらの通路６０は、第１の流路領域５４の通路５６と同様に環状のパターンで弁スプール４０を取り囲むように配置されていて、第２の弁室４６と第３の弁室５０との間の接続部を形成している。
【００２１】
第１の流路領域５４の通路５６は第１の弁室４４に第１の弁座面６２の領域で開口している。この第１の弁座面６２はほぼ円錐台形を有している。この第１の弁座面６２に対応して、弁スプール４０は、相応の円錐台形の形状を備えた弁スプール面６４を有している。
【００２２】
第２の流路領域５８の通路６０は第３の弁室５０に第２の弁座面６６の領域で開口している。この第２の弁座面６６も同じくほぼ円錐台形を有している。第２の弁座面６６に対応して、弁スプール４０は第２の弁スプール面６８を有している。この弁スプール面６８は第２の弁座面６６の形状に相応に形成されていて、したがって、図示の例では、同じく円錐台形を有している。図面に見ることができるように、第１の弁座面６４と第２の弁座面６８とは互いに逆方向に向けられているかもしくは方向付けられている。
【００２３】
弁体３８に支持されている予荷重ばねもしくはプレロードばね７０によって、弁スプール４０には第１の運転位置で予荷重もしくはプレロードがかけられている。この第１の運転位置では、図２に見ることができるように、弁スプール面６４が弁座面６２に載置していて、したがって、第１の流路領域５４の通路５６を閉鎖している。弁スプール４０の長さに基づき、第１の運転位置では、第２の弁スプール面６８は第２の弁座面６６から持ち上げられている。
【００２４】
図１に関連してすでに述べた温度フィーラ装置３６は室７２を有している。この室７２内には、温度に依存する体積を備えた媒体が収容されている。これは、たとえばガス状の媒体であってよい。端部領域では、室７２が弾性的な閉鎖エレメント７４によって通路領域７６に対して閉鎖されている。たとえばダイヤフラム状に形成された閉鎖エレメント７４はゴム材料またはこれに類するものから形成することができるので、閉鎖エレメント７４を相応の凹部７８内に挿入することによって、室７２のほぼ密な閉鎖が同時に得られる。通路領域７６にはプランジャ８０が設けられている。このプランジャは閉鎖エレメント７４と一緒に主として伝達装置８２を形成している。この伝達装置８２によって、以下に説明するように、室７２内に含まれた媒体の、温度に基づく体積変化が調節運動として弁スプール４０に伝達される。ばね７０の負荷作用と、一般的に圧力下にある室７２内の媒体の負荷作用とによって、弁スプール４０と、プランジャ８０と、弾性的な閉鎖エレメント７４とを有する構造群が全ての運転段階でほぼ不動の相関的な当付け状態に保持される。
【００２５】
まず、暖房システム１０が運転されておらず、室７２内に含まれている、グロー点火ピン３１の領域に位置決めされた媒体が比較的少ない体積を要求していると仮定する。ばね７０のプレロード作用によって、弁スプール４０は、すでに前述した第１の運転位置に運動させられている。この第１の運転位置では、第１の流路領域５４の閉鎖に基づき導入領域２０が両導出領域２４，３２との接続を有していない。したがって、導入領域２０を介して燃料は燃焼器２８内に流入することができない。燃焼運転の調整後に可能な蒸発のための燃料が場合によってまだ存在している管路範囲は主として両管路２６，３４の長さに限定されている。
【００２６】
いま、暖房システム１０が運転されると、まずグロー点火ピン３１が加熱される。次いで、温度がグロー点火ピン３１の周辺で激しく上昇し、その結果、室７２内に含まれている媒体の体積の増加が生ぜしめられる。室７２内の圧力が増加させられ、弾性的な閉鎖エレメント７４がこの圧力の作用下で変形させられ、これによって、閉鎖エレメント７４が引き続き通路領域７６に突入する。したがって、プランジャ８０も移動させられる。この場合、プランジャ８０は弁スプール４０を負荷している。いまや、この弁スプール４０は、温度フィーラ装置３６の領域、すなわち、グロー点火ピン３１の領域における比較的高い温度時に第２の弁スプール面６８で第２の弁座面６６に載置される。この場合、燃料弁２２の、点火過程の間にとられる第２の運転位置では、第１の弁スプール面６４はもはや第１の弁座面６２に載置していない。したがって、第１の流路領域５４が開放され、いまや、第１の弁室４４と第２の弁室４６との間に接続が形成される。第２の弁スプール面６８は第２の弁座面６６に載置しているので、いまや、第２の流路領域５８は遮断されており、これによって、第２の弁室４６と第３の弁室５０との間に接続は形成されない。いま、調量ポンプ１６から燃料弁２２にガイドされた燃料は、導入領域２０の入口開口４２と、第１の弁室４４と、第１の流路領域５４の通路５６とを通って第２の弁室４６内に流入し、この第２の弁室４６から第１の導出領域２４の出口開口４８と、図１に見ることができる管路２６とを介して燃焼器２８内に送出される。すなわち、点火を開始しかつ暖房バーナ３０を定格出力に高めたい状態では、燃料がグロー点火ピン３１の近くで燃焼器２８内に導入され、これによって、燃焼を極めて迅速に開始することができる。
【００２７】
主として、定格出力が達成され、燃焼が燃焼器２８の比較的大きな容積領域もしくは容積領域全体にわたって拡張した後、グロー点火ピン３１の通電が停止される。このグロー点火ピン３１の領域における温度は再び低下するものの、燃焼器２８内で経過する燃焼に基づき、暖房システム１０が完全に運転されていない状態よりも高いままである。グロー点火ピン３１の領域における温度の低下に基づき、室７２内に閉じ込められた媒体の温度も再び減少する。このことは、室７２内の内圧の相応の減少を生ぜしめる。ばね７０のプレロード作用によって、室７２内の、低下させられた圧力に基づき、いま、弁スプール４０とプランジャ８０とが、図４に示した第２の運転位置から、図５に示した運転位置に運動させられる。この運転位置では、ばね７０のばね力と、室７２内に閉じ込められた媒体の押圧力との間に力平衡が存在している。図面に見ることができるように、減圧によって、弾性的な閉鎖エレメント７４が再びさらに通路領域７６から外方（図面で見て右方）に運動させられる。この第３の運転位置では、両弁スプール面６４，６８が、それぞれ対応配置された弁座面６２，６６に対して間隔を置いて位置決めされている。したがって、両流路領域５４，５８は開放されている。したがって、第１の弁室４４は第１の流路領域５４によって第２の弁室４６に接続されている。この第２の弁室も同じく第２の流路領域５８によって第３の弁室５０に接続されている。導入領域２０の入口開口４２を通って圧力下で供給された燃料は、第１の弁室４４の通流後、第１の流路領域５４の通路５６を通って第２の弁室４６内に到達する。そこから燃料は、一方で第１の導出領域２４の出口開口４８を通って流出され、他方で第２の流路領域５８の通路６０を通って第３の弁室５０内に到達する。この第３の弁室５０から燃料は第２の導出領域３２の出口開口５２を通って流出される。すなわち、この通常の燃焼状態では、両導出領域２４，３２ひいては図１に見ることができる両管路２６，３４を介して、燃料が燃焼器２８内に導入される。これに基づき、両導入箇所を通って、燃焼に提供される燃料のより良好な分配がすでに達成される。さらに、通常の燃焼運転中に燃料導入に対して付加的に有効となる管路３４が、この通常の燃焼に対して最適な領域に通じていることが提案されていてよい。図面にさらに見ることができるように、第２の導出領域３２は第１の導出領域２４よりも大きな流れ横断面を備えて形成されている。したがって、第２の導出領域３２でのより僅かな流れ抵抗に基づき、通常の燃焼運転中には、燃料の大部分が管路３４を介して燃焼器２８内に導入される。このことは、導入領域の選択と一緒に、さらに改善された燃焼を生ぜしめる。念のために付言しておくが、当然ながら、両燃料流の分配は、別の領域に位置する絞り箇所によって行われてもよい。
【００２８】
たとえば第２の流路領域５８の通路６０の総横断面積の選択はすでにある程度の絞り機能を有している。また、管路２６，３４内にそれぞれ絞りエレメントが設けられていてもよい。この絞りエレメントは、本発明によれば、弁体３８に設けられた絞り箇所と同じく、各導出領域２４；３２に機能的に対応配置することができる。なぜならば、主として、絞りエレメントによって、絞り比率の調整に応じて、一方の導出領域を介して、他方の導出領域よりも大きな燃料量が流出されるからである。
【００２９】
すなわち、本発明による温度制御式の燃料弁の使用によって、燃焼運転の停止時の、もはや燃焼させられない燃料の望ましくない蒸発が、この蒸発のために存在する燃料の体積の減少に基づき著しく減少することが達成される。さらに、本発明により形成された温度制御式の燃料弁は、あらゆる運転状態において、燃料導入の、温度適合された分配を行うことができるようになっている。この場合、図面に見ることができるように、図４に示した、点火運転に対応している第２の運転位置から、図５に示した、通常の燃焼運転に対応している第３の運転位置への移行時には、グロー点火ピン３１の領域でのゆっくりとした相応の温度変化と共に生ぜしめられる弁スプール４０のゆっくりとした急激でない変位によって、両導出領域２４，３２を介して流れる燃料導入量の相応に連続的な移行が達成される。
【００３０】
最後にさらに念のために付言しておくが、図面に示した燃料弁は簡単に示してある。当然ながら、弁体および温度フィーラ装置が複数の構成要素から成っていることも可能である。また、たとえば弁スプールに密に有効となる面にシール機構、たとえば燃料に対して抵抗性のゴムシール部材が設けられていることも可能である。また、弁体に対応した温度フィーラ装置の位置決めも例示的なものでしかない。当然ながら、暖房バーナの構成に応じて、別の位置割当てを行うことができ、場合によっては、プランジャ８０がボーデンケーブルの形で形成されていてもよい。また、温度フィーラ装置内に存在する媒体の圧力変化が直接、すなわち、何らかの機械的な構成要素の介在なしに、端部領域にピストン状に形成された弁スプールに直接伝達されてもよい。
【図面の簡単な説明】
【図１】温度制御式の燃料弁を備えた本発明による暖房システムの原理図である。
【図２】燃料弁の縦断面図を示す。
【図３】図２に示したＩＩＩ−ＩＩＩ線に沿って断面した燃料弁の横断面図であり、この場合、燃料弁は、低い温度に対応した運転状態にある。
【図４】点火段階の間に付与された高い温度に対応した状態における、図２に相応に示した温度制御式の燃料弁を示す図である。
【図５】通常の燃焼の間に付与された中間の温度に対応した状態における、図２に相応に示した温度制御式の燃料弁を示す図である。
【符号の説明】
１０　暖房システム、　１２　燃料タンク、　１４　燃料管路、　１６　調量ポンプ、　１８　燃料管路、　２０　導入領域、　２２　燃料弁、　２４　導出領域、　２６　管路、　２８　燃焼器、　３０　暖房バーナ、　３１　グロー点火ピン、　３２　導出領域、　３４　管路、　３６　温度フィーラ装置、　３８弁体、　４０　弁スプール、　４２　入口開口、　４４　弁室、　４６　弁室、　４８　出口開口、　５０　弁室、　５２　出口開口、　５４　流路領域、　５６　通路、　５８　流路領域、　６０　通路、　６２　弁座面、　６４　弁スプール面、　６６　弁座面、　６８　弁スプール面、　７０　プレロードばね、７２　室、　７４　閉鎖エレメント、　７６　通路領域、　７８　凹部、　８０　プランジャ、　８２　伝達装置、　Ｌ　弁スプール長手方向軸線
【図１】
2004003811.tif 000003
【図２】
2004003811.tif 000004
【図３】
2004003811.tif 000005
【図４】
2004003811.tif 000006
【図５】
2004003811.tif 000007